(57)【要約】【課題】見栄えが良く、第三者が蓋部材を取り外すことを困難にすることができる衛生設備機器を提供する。【解決手段】小便器１は、開口部１９Ｂを有する便器本体１０と、この便器本体１０に着脱自在に取り付けられて開口部１９Ｂを閉鎖する蓋部材３０とを備えている。小便器１は、蓋部材３０に設けられており、便器本体１０に設けられた孔部１２に係止する連結部５３を有し、蓋部材３０が開口部１９Ｂを閉鎖した閉鎖状態に取り付けられると露出しないように全体が隠蔽される連結部材５０を備えている。【選択図】図１
2015038283.tif 000002
【特許請求の範囲】
【請求項１】
開口部を有する機器本体と、この機器本体に着脱自在に取り付けられて前記開口部を閉鎖する蓋部材とを備えた衛生設備機器であって、
前記機器本体又は前記蓋部材の一方に設けられており、前記機器本体又は前記蓋部材の他方に設けられた被連結部に連結する連結部を有し、前記蓋部材が前記開口部を閉鎖した閉鎖状態に取り付けられると露出しないように全体が隠蔽される連結部材を備えていることを特徴とする衛生設備機器。
【請求項２】
前記連結部材はねじ部材を有しており、このねじ部材を回転させることによって、前記連結部が前記被連結部に連結する位置に移動することを特徴とする請求項１記載の衛生設備機器。
【請求項３】
前記蓋部材は、前記閉鎖状態から前記開口部を開口する方向に移動すると、前記連結部が前記被連結部に係止し、前記開口部との間に隙間を生じた係止状態になることを特徴とする請求項１又は２記載の衛生設備機器。
【請求項４】
前記連結部材は前記隙間から目視可能な位置に前記ねじ部材の頭部を配置したことを特徴とする請求項３記載の衛生設備機器。
【請求項５】
前記蓋部材は、前記ねじ部材の頭部が目視可能な位置まで前記開口部を開口する方向に移動することによって、前記係止状態になることを特徴とする請求項３記載の衛生設備機器。
【請求項６】
前記機器本体は前記開口部を形成した底面を有した凹部を具備しており、
前記蓋部材は、前記凹部に嵌り込んで前記開口部を閉鎖し、前記係止状態において前記凹部の立ち上がり面に対向する面の一部がこの立ち上り面に重なることを特徴とする請求項３乃至５のいずれか１項記載の衛生設備機器。
【請求項７】
前記機器本体と前記蓋部材との間に設けられ、前記蓋部材を前記機器本体に仮固定する固定部材を備えていることを特徴とする請求項１乃至６のいずれか１項記載の衛生設備機器。
【請求項８】
前記機器本体は、設置される部屋の壁面に当接して固定され、前記壁面に連続して前記開口部を形成した底面を有した凹部を具備しており、
前記蓋部材は、前記凹部に嵌り込んで前記開口部を閉鎖した状態において、前記壁面に対向する面、及び前記凹部の立ち上がり面に対向する面の少なくとも一方に設けられ、前記壁面又は前記立ち上がり面に当接する弾性体を有していることを特徴とする請求項１乃至７のいずれか１項記載の衛生設備機器。
【請求項９】
前記連結部は弾性変形によって往復移動し被連結部に連結することを特徴とする請求項１記載の衛生設備機器。
【発明の詳細な説明】
【技術分野】
【０００１】
本発明は衛生設備機器に関するものである。
【背景技術】
【０００２】
特許文献１は従来の衛生設備機器を開示している。この衛生設備機器は小便器である。この小便器は、便器本体、蓋部材、及び便器本体と蓋部材とを連結する一対の連結部材を備えている。便器本体はトイレルームの壁面に当接して固定されている。この便器本体は上部にバルブユニット等を収納する収納空間が設けられている。便器本体の収納空間は上方及び後方（壁面側）が開口している。また、便器本体は左右壁面の夫々の内面に後述する連結部材の連結部の下部が係止する係止孔が設けられている。
【０００３】
蓋部材は、便器本体に着脱自在に取り付けられ、便器本体の上方に開口した開口部を閉鎖している。この蓋部材は、上面部、前側面部、及び左右側面部を有している。上面部は略矩形状である。前側面部は上面部の前端縁から連続して下方に延びている。左右側面部は上面部の左右端縁の夫々から連続して下方に延びている。また、左右側面部は前端縁が前側面部の左右端縁の夫々に連続している。蓋部材は、便器本体に取り付けると、上面部の後端縁及び左右側面部の後端縁がトイレルームの壁面に当接した状態になる。
【０００４】
一対の連結部材は蓋部材の左右側面部の内側面に一つずつ取り付けられている。連結部材は、連結部と、連結部の移動を案内するガイド部と、連結部を軸方向に移動させる操作ねじとを有している。連結部は、平板状であり、左右側面部の下端縁より下方に延びている。連結部は下端が斜め外側下方を向くように上下方向の中間部で折曲している。連結部は上部に形成されたねじ孔に操作ねじがねじ込まれている。
【０００５】
操作ねじは蓋部材の左右側面部の夫々に貫設した貫通孔を挿通している。この操作ねじは、頭部が蓋部材の左右側面部の外側面に係止しており、頭部が外部に露出している。操作ねじの頭部にドライバーの先端を当てて操作ねじを回転させると連結部が操作ねじの軸方向に往復移動する。この際、ガイド部は連結部が回転せずに往復移動するように案内する。
【０００６】
この小便器において、蓋部材を便器本体に取り付ける場合、先ず、壁面に当接して固定された便器本体の上端に後端縁が壁面に当接するように蓋部材を載置する。この際、各連結部材の連結部は便器本体の上方に開口した開口部内に入り込むように内側に位置している。そして、蓋部材の左右側面部の外側に露出した操作ねじの頭部にドライバーの先端を当てて、操作ねじを一方向に回転させる。すると、連結部が外方向に移動し、連結部の下部が便器本体の係止孔に係止する。これによって、蓋部材は便器本体から持ち上げることができない状態に取り付けることができる。このように、この小便器は蓋部材を容易に取り付けることができ、便器本体内への水等の侵入を防止することができる。
【０００７】
また、この小便器において、蓋部材を便器本体から取り外す場合、蓋部材の左右側面部の外側に突出した操作ねじの頭部にドライバーの先端を当てて、操作ねじを他方向に回転させる。すると、連結部が内方向に移動し、連結部の下部と便器本体の係止孔との係止状態が解除される。これによって、蓋部材は便器本体から持ち上げて取外すことができる。このように、この小便器は蓋部材を容易に取り外すことができる。
【先行技術文献】
【特許文献】
【０００８】
【特許文献１】実開平５−６１２７１号公報
【発明の概要】
【発明が解決しようとする課題】
【０００９】
しかし、特許文献１の小便器は操作ねじの頭部が蓋部材の左右側面部の外側に突出して露出している。このため、この小便器は、見栄えが悪く、第三者によって操作ねじが操作され、蓋部材が取り外されてしまうおそれがある。
【００１０】
本発明は、上記従来の実情に鑑みてなされたものであって、見栄えが良く、第三者が蓋部材を取り外すことを困難にすることができる衛生設備機器を提供することを解決すべき課題としている。
【課題を解決するための手段】
【００１１】
本発明の衛生設備機器は、開口部を有する機器本体と、この機器本体に着脱自在に取り付けられて前記開口部を閉鎖する蓋部材とを備えた衛生設備機器であって、
前記機器本体又は前記蓋部材の一方に設けられており、前記機器本体又は前記蓋部材の他方に設けられた被連結部に連結する連結部を有し、前記蓋部材が前記開口部を閉鎖した閉鎖状態に取り付けられると露出しないように全体が隠蔽される連結部材を備えていることを特徴とする。
【００１２】
この衛生設備機器は、蓋部材が機器本体の開口部を閉鎖した閉鎖状態に取り付けられると、機器本体又は蓋部材の一方に設けられた連結部材の全体が隠蔽されて露出しない。このため、この衛生設備機器は蓋部材を機器本体に取り付けると連結部材を外側から視認することができない。このように、この衛生設備機器は、連結部材が露出しないため、見栄えが良い。また、この衛生設備機器は、連結部材が露出しないため、第三者によって連結部と被連結部との連結を解除され難く、蓋部材が取り外され難い。
【００１３】
したがって、本発明の衛生設備機器は、見栄えが良く、第三者が蓋部材を取り外すことを困難にすることができる。
【００１４】
なお、本発明において、開口部とは蓋部材によって閉鎖される開口である。また、衛生設備機器とは、大便器、小便器、洗浄水を貯留するタンク等である。
【図面の簡単な説明】
【００１５】
【図１】実施例１の小便器の要部を示す斜視図である。
【図２】実施例１の小便器の要部を示す側面図である。
【図３】実施例１の小便器を示す平面図である。
【図４】図３の矢視Ｘ−Ｘ断面図である。
【図５】実施例１の小便器の要部を示す拡大断面図である。
【図６】実施例２の小便器の要部を示す断面図である。
【図７】実施例３の小便器の要部を示す断面図であって、（Ａ）は蓋部材が開口部を閉鎖した閉鎖状態に取り付けられた状態を示し、（Ｂ）は蓋部材を便器本体から取り外す状態を示す。
【発明を実施するための形態】
【００１６】
本発明における好ましい実施の形態を説明する。
【００１７】
本発明の衛生設備機器において、前記連結部材はねじ部材を有しており、このねじ部材を回転させることによって、前記連結部が前記被連結部に連結する位置に移動し得る。この場合、ねじ部材を回転させることによって、連結部が被連結部に連結する位置と連結しない位置とに確実に移動させることができる。
【００１８】
本発明の衛生設備機器において、前記蓋部材は、前記閉鎖状態から前記開口部を開口する方向に移動すると、前記連結部が前記被連結部に係止し、前記開口部との間に隙間を生じた係止状態になり得る。この場合、仮に、第三者が蓋部材を便器本体から取り外そうとし、蓋部材を閉鎖状態から開口部を開口する方向に移動すると、連結部が被連結部に係止した係止状態になるため、第三者はそれ以上蓋部材を移動させることができない。また、蓋部材と開口部との間の隙間を利用して、連結部と被連結部とが係止する位置、又は係止しない位置に変更することができる。つまり、蓋部材と開口部との間の隙間からドライバーを挿入してねじ部材を回転させることによって、連結部を被連結部に係止する状態と係止しない状態に往復移動させることができる。
【００１９】
前記連結部材は前記隙間から目視可能な位置に前記ねじ部材の頭部を配置し得る。この場合、係止状態で蓋部材と開口部との間に生じた隙間からねじ部材の頭部を目視しながらドライバーの先端部をねじ部材の頭部に当接させて、ねじ部材を回転させることができる。このため、この衛生設備機器はねじ部材を確実かつ容易に回転させることができる。
【００２０】
前記蓋部材は、前記ねじ部材の頭部が目視可能な位置まで前記開口部を開口する方向に移動することによって、前記係止状態になり得る。この場合、係止状態で確実にねじ部材の頭部を目視することができる。このため、係止状態で蓋部材と開口部との間に生じた隙間からねじ部材の頭部を目視しながらドライバーの先端部をねじ部材の頭部に当接させて、ねじ部材を回転させることができる。このため、この衛生設備機器はねじ部材を確実かつ容易に回転させることができる。
【００２１】
前記機器本体は前記開口部を形成した底面を有した凹部を具備しており、前記蓋部材は、前記凹部に嵌り込んで前記開口部を閉鎖し、前記係止状態において前記凹部の立ち上がり面に対向する面の一部がこの立ち上り面に重なり得る。この場合、係止状態に蓋部材を移動させても、蓋部材の凹部の立ち上がり面に対向する面の一部が立ち上がり面に重なるため、この部分に隙間が生じない。このため、この部分から機器本体の内部を覗くことができない。また、この部分から異物が機器本体内に投入されることを防止することができる。
【００２２】
本発明の衛生設備機器において、前記機器本体と前記蓋部材との間に設けられ、前記蓋部材を前記機器本体に仮固定する固定部材を備え得る。この場合、蓋部材が機器本体に仮固定されるため、蓋部材を便器本体から取り外す際の抵抗になる。このため、第三者であれば、蓋部材が便器本体に固定されていると勘違いし、蓋部材が取り外され難くなる。
【００２３】
本発明の衛生設備機器において、前記機器本体は、設置される部屋の壁面に当接して固定され、前記壁面に連続して前記開口部を形成した底面を有した凹部を具備しており、前記蓋部材は、前記凹部に嵌り込んで前記開口部を閉鎖した状態において、前記壁面に対向する面、及び前記凹部の立ち上がり面に対向する面の少なくとも一方に設けられ、前記壁面又は前記立ち上がり面に当接する弾性体を有し得る。この場合、蓋部材に設けられた弾性体が壁面又は立ち上がり面に当接することによって、突っ張った状態になるため、蓋部材を取り外す際の抵抗になる。このため、第三者であれば、蓋部材が便器本体に固定されていると勘違いし、蓋部材が移動され難くなる。
【００２４】
本発明の衛生設備機器において、前記連結部は弾性変形によって往復移動し被連結部に連結し得る。この場合、弾性変形によって連結部が往復移動して被連結部に連結するため、蓋部材を機器本体の所定の位置に配置するだけで、連結部と被連結部とが連結される。
【００２５】
次に、本発明の衛生設備機器を具体化した実施例１〜３について、図面を参照しつつ説明する。
【００２６】
＜実施例１＞
実施例１の衛生設備機器は、図１〜図５に示すように、小便器１である。この小便器１は、機器本体に相当する便器本体１０、蓋部材３０、及び一対の連結部材５０を備えている。
【００２７】
便器本体１０は、一対の左右壁部１１、前壁部１３、便鉢部１５、及び上壁部１７を有している。一対の左右壁部１１は略平行に位置している。各左右壁部１１は、図１及び図２に示すように、上端縁の前後方向の中間部から後方が前方に比べて一段下がっている。この一段下がった部分が後述する凹部１９の底面の左右縁部１９Ａを構成している。便器本体１０は左右壁部１１の後端縁を小便器１が設置される部屋（トイレ室）の壁面Ｗに当接して固定されている。左右壁部１１は、図２及び図４に示すように、後述する連結部材５０の係止部５３Ｂに設けられた鉤部５８が係止する孔部（被連結部）１２を内面に設けている。
【００２８】
前壁部１３は、図１に示すように、各左右壁部１１の前端縁の上部に左右両端部が連続している。前壁部１３は左右中央部に向けて徐々に後方（トイレ室の壁面Ｗ側）に湾曲している。前壁部１３は前面の左右中央部に人体検知センサーの窓部２１が設けられている。また、前壁部１３は、図４に示すように、後面に人体検知センサーユニット２３が取り付けられている。便器本体１０は前壁部１３の後方であって左右壁部１１に囲まれた部分に人体検知センサーユニット２３、図示しないバルブユニット、及びこのバルブユニットと後述する吐水部材２５とを連結する給水管２７等が収納されている収納空間Ｓを有している。この収納空間Ｓは上方及び後方（壁面Ｗ側）が開口している。
【００２９】
便鉢部１５は、図１〜図３に示すように、前壁部１３の下端縁、及び前壁部１３よりも下方に位置する左右壁部１１の前端縁の夫々に連続している。便鉢部１５は、前壁部１３及び左右壁部１１の前端縁より後方に凹むように湾曲し、下部で中央部が前方に突出した受け部１５Ａを形成している（図３参照）。この受け部１５Ａは底面に排水口１６が設けられている。便鉢部１５は、排水口１６を覆い、かつ封水トラップを形成する着脱トラップ１８が取り付けられている。便鉢部１５は上部の前面に洗浄水を吐水する吐水部材２５が取り付けられている。小便及び吐水部材２５から吐水した洗浄水は、便鉢部１５の表面を流下し、排水口１６に流入する。
【００３０】
上壁部１７は、前壁部１３の上端縁、及び各左右壁部１１の前後方向の中間部より前方の上端縁に連続している。上壁部１７の後端縁は左右中央部に向けて僅かに後方に膨らんで湾曲している。
【００３１】
便器本体１０は、図１及び図２に示すように、上壁部１７より後方に一段凹んだ凹部１９が形成されている。この凹部１９の底面は、便器本体１０の左右壁部１１の前後方向の中間部より後方の上端面が前後方向に延びる左右縁部１９Ａを構成しており、これら左右縁部１９Ａの間は上下方向に開口した開口部１９Ｂを構成している（図４及び図５参照）。つまり、便器本体１０が壁面Ｗに固定されると、凹部１９の底面に壁面Ｗに連続して開口した開口部１９Ｂが形成される。開口部１９Ｂは収納空間Ｓの上方を開口している。この開口部１９Ｂを利用して、収納空間Ｓ内に収納した人体検知センサーユニット２３、バルブユニット、及び給水管等２７のメンテナンスをすることができる。凹部１９の前側の立ち上がり面１９Ｃは、便器本体１０の上壁部１７の後端縁から凹部１９の底面（左右縁部１９Ａの上端面）まで延びて形成されている。この立ち上がり面１９Ｃは左右中央部に向けて僅かに後方に膨らんだ湾曲面である。
【００３２】
蓋部材３０は、図３に示すように、上方から見た平面視が左右方向に長い略横長矩形状である。蓋部材３０の左右幅は便器本体１０の上壁部１７より後方の左右幅と同じであり、前後幅は便器本体１０に形成した凹部１９の前後幅よりわずかに小さい。蓋部材３０は、便器本体１０の凹部１９に嵌り込んで開口部１９Ｂを閉鎖し、便器本体１０に取付けられる。蓋部材３０は、図４に示すように、下面の中央部が凹んでいる。蓋部材３０は、便器本体１０に取り付けられた状態で、上面が便器本体１０の上壁部１７の上面と面一になるように形成されている。
【００３３】
蓋部材３０は、図１〜図３に示すように、前面及び後面に左右方向に長い平板状の弾性体３１Ａ、３１Ｂが取り付けられている。蓋部材３０は、凹部１９に嵌り込んで便器本体１０に取り付けられると、前面に取り付けられた弾性体３１Ａが便器本体１０に形成した凹部１９の立ち上がり面１９Ｃに当接し、後面に取付けた弾性体３１Ｂが壁面Ｗに当接する。このため、蓋部材３０が凹部１９の立ち上がり面１９Ｃと壁面Ｗとの間に突っ張った状態になるため、蓋部材３０を取り外す際の抵抗になる。このため、第三者であれば、蓋部材３０が便器本体１０に固定されていると勘違いし、蓋部材３０が移動され難くなる。
【００３４】
１対の連結部材５０は、図１、図２、図４、及び図５に示すように、蓋部材３０の下面の前後方向の中央であり、左右端部に近い２か所に１個ずつ固定されている。各連結部材５０は、図５に示すように、固定部５１、連結部５３、及びねじ部材５５を有している。固定部５１は、上面部５１Ａ、側面部５１Ｂ、及び一対のガイド部５１Ｃを有している。上面部５１Ａは蓋部材３０の下面に図示しないボルトによって固定されている。側面部５１Ｂは、上面部５１Ａが蓋部材３０の下面に固定された状態で、蓋部材３０の左右端部に近い上面部５１Ａの端部から垂下して形成されている。側面部５１Ｂは、上面部５１Ａが蓋部材３０の下面に固定された状態で、蓋部材３０の左右端部に近い側面の中央にねじ部材５５の頭部５５Ａが嵌り込む凹部５２が形成されている。側面部は凹部５２の中央にねじ部材５５の軸部５５Ｂを挿通する挿通孔５２Ａが貫設されている。一対のガイド部５１Ｃは前後方向に離れて平行な状態で上面部から垂下している。一対のガイド部５１Ｃは連結部５３の上端部を間に挟み込んでいる。一対のガイド部５１Ｃは、ねじ部材５５を回転することによって連結部５３を左右方向に往復移動させる際、ねじ部材５５と共に連結部５３が回転せずに往復移動するように案内する。
【００３５】
連結部５３は、連結部本体５３Ａ、及び係止部５３Ｂを有している。連結部本体５３Ａは上方に開口した凹部５３Ｃを設けている。この凹部５３ＣにナットＮが収納されており、ナットＮを貫通するねじ孔に連続する貫通孔５４が連結部本体の凹部１９の対向面に貫設されている。係止部５３Ｂは、連結部材５０が蓋部材３０の下面に固定されている状態で、連結部本体５３Ａの下部から垂直下方に延びた垂下片部５６と、垂下片部５６の下端から外方向に向けて水平方向に延びた鉤部５８とを有している。鉤部５８の下部はラウンド形状のリブ５８Ａが形成されている。連結部材５０は、ねじ部材５５が固定部５１の挿通孔５２Ａを挿通し、連結部５３の貫通孔５４を挿通してナットＮのねじ孔にねじ込まれることによって、固定部５１、ねじ部材５５、及び連結部５３が一体化されている。
【００３６】
このような構成を有する小便器１において、蓋部材３０を便器本体１０に取り付ける場合、先ず、図１に示すように、一方の連結部材５０の連結部５３を内側に移動させた状態にし、他方の連結部材５０の連結部５３を所定の距離だけ外側へ移動させた状態にする。そして、蓋部材３０を便器本体１０の凹部１９に嵌め込むように下降させる。この際、他方の連結部材５０の連結部５３を所定の距離だけ外側へ移動させているので、その係止部５３Ｂに設けられた鉤部５８は便器本体１０の左右壁部１１の内面に設けられた孔部１２に係止可能な状態になっている。
【００３７】
そして、図５に示すように、連結部５３が内側に移動している一方の連結部材５０が固定されている側の蓋部材３０の端部を持ち上げ、蓋部材３０の下面と便器本体１０の凹部１９の底面の左右縁部１９Ａ（便器本体１０の左右壁部１１の上端面）との間の隙間ＺからドライバーＤを挿入する。そして、ドライバーＤの先端をねじ部材５５の頭部５５Ａに当接してねじ部材５５を一方向に回転させる。すると、連結部材５０の連結部５３が外側に移動する。連結部５３の係止部５３Ｂに設けられた垂下片部５６の外側面が便器本体１０の凹部１９の底面の左右縁部１９Ａ（便器本体１０の左右壁部１１）の内側側面１９Ｄに当接するまで、ねじ部材５５を一方向に回転させる。そして、持ち上げていた蓋部材３０の端部を便器本体１０上に下ろす。蓋部材３０が便器本体１０に対して左右にずれている場合は、蓋部材３０の左右端部を片方ずつ持ち上げて、隙間ＺからドライバーＤを挿入してねじ部材５５を回転させ、左右の連結部材５０の連結部５３の位置を微調整する。このようにして、蓋部材３０を開口部１９Ｂを閉鎖した閉鎖状態に取り付ける。これによって、図４に示すように、各連結部材５０の連結部５３の係止部５３Ｂに設けられた鉤部５８が便器本体１０の左右壁部１１の内面に設けられた各孔部１２に係止可能な状態になる。
【００３８】
このようにして、蓋部材３０が開口部１９Ｂを閉鎖した閉鎖状態に便器本体１０に取り付けられた小便器１は、蓋部材３０に設けられた各連結部材５０の全体が隠蔽されて露出しない。このため、この小便器１は蓋部材３０を便器本体１０に取り付ける連結部材５０を外側から視認することができない。このように、この小便器１は、連結部材５０が露出しないため、見栄えが良い。また、この小便器１は、連結部材５０が露出しないため、第三者によって、連結部５３の係止部５３Ｂに設けられた鉤部５８が被連結部である各孔部１２との係止可能な状態を解除され難く、蓋部材３０が取り外され難い。
【００３９】
したがって、実施例１の小便器は、見栄えが良く、第三者が蓋部材３０を取り外すことを困難にすることができる。
【００４０】
また、この小便器１において、蓋部材３０を便器本体１０から取り外す場合、少なくとも一方の連結部材５０の連結部５３を内側に移動させる。つまり、蓋部材３０の端部の一方を持ち上げて、隙間ＺからドライバーＤを挿入し、ねじ部材５５を他方向に回転させて、連結部材５０の連結部５３を内側に移動させる。これによって、連結部材５０の連結部５３の係止部５３Ｂに設けられた鉤部５８が便器本体１０の左右壁部１１の内面に設けられた孔部１２に係止した状態を解除する。これによって、蓋部材３０を上方に移動させることができ、蓋部材３０を便器本体１０から取り外すことができる。
【００４１】
このように、この小便器１は、ねじ部材５５を回転させることによって、連結部５３の係止部５３Ｂに設けられた鉤部５８を被連結部である各孔部１２に対して係止する位置と係止しない位置とに確実に移動させることができる。
【００４２】
また、この小便器１は、図２及び図４に示すように、連結部材５０の連結部５３の係止部５３Ｂに設けられた鉤部５８が便器本体１０の左右壁部１１の内面に設けられた各孔部１２に係止可能な位置で便器本体１０に取り付けられた状態で、蓋部材３０を持ち上げる（蓋部材３０を開口部１９Ｂが開口する方向に移動させる）と、鉤部５８が各孔部１２に係止し、蓋部材３０と開口部１９Ｂとの間に隙間Ｚを生じた係止状態になる。仮に、第三者が蓋部材３０を便器本体１０から取り外そうとし、蓋部材３０を持ち上げると、鉤部５８が各孔部１２に係止した係止状態になるため、第三者はそれ以上蓋部材３０を持ち上げることができない。
【００４３】
また、連結部材５０は、蓋部材３０を持ち上げて、鉤部５８が各孔部１２に係止し、蓋部材３０と開口部１９Ｂとの間に隙間Ｚを生じた係止状態において、その隙間Ｚから目視可能な位置にねじ部材５５の頭部５５Ａを配置している。言い換えれば、蓋部材３０は、ねじ部材５５の頭部５５Ａが目視可能な位置まで持ち上げられる（開口部１９Ｂを開口する方向に移動する）ことによって、鉤部５８が各孔部１２に係止する係止状態になる。このため、蓋部材３０を持ち上げて、開口部１９Ｂとの間に生じた隙間Ｚからねじ部材５５の頭部５５Ａを目視しながらドライバーＤの先端部をねじ部材５５の頭部５５Ａに当接させて、ねじ部材５５を回転させることができる。このため、この小便器１はねじ部材５５を確実かつ容易に回転させることができる。
【００４４】
また、蓋部材３０は鉤部５８が各孔部１２に係止する係止状態に持ち上げられた際、図２に示すように、前面の下部が便器本体１０の凹部１９の立ち上がり面１９Ｃに重なる。このため、蓋部材３０が係止状態に持ち上げられても、この部分に隙間が生じず、この部分から便器本体１０の内部を覗くことができない。また、この部分から異物が便器本体１０内に投入されることを防止することができる。
【００４５】
＜実施例２＞
実施例２の衛生設備機器である小便器１０１は、図６に示すように、便器本体１０と蓋部材３０との間に蓋部材３０を便器本体１０に仮固定する固定部材１１０を備えている点で実施例１と相違する。他の構成は実施例１と同様であり、同一の構0成は同一の符号を付して詳細な説明を省略する。
【００４６】
固定部材１１０は、便器本体１０の凹部１９の底面の左右縁部１９Ａを構成する左右壁部１１の上面に張り付けられた鉄板１１０Ａと、蓋部材３０を便器本体１０に取り付けた際にこの鉄板１１０Ａに対向する蓋部材３０の底面に張り付けられた磁石１１０Ｂとから構成されている。つまり、この固定部材１１０は、蓋部材３０を持ち上げようとすると、磁力が働き、持ち上げる抵抗になる。このため、第三者であれば、蓋部材３０が便器本体１０に固定されていると勘違いし、蓋部材３０が取り外され難くなる。
【００４７】
＜実施例３＞
実施例３の衛生設備機器である小便器２０１は、図７に示すように、連結部材２５０の形態が実施例１と相違する。他の構成は実施例１と同様であり、同一の構成は同一の符号を付して詳細な説明を省略する。
【００４８】
この連結部材２５０は、固定部２５１、連結部２５３、ねじ部材５５、及びスプリング２５７を有している。固定部２５１は、上面部２５１Ａ、第１側面部２５１Ｂ、第２側面部２５１Ｃ、及び一対のガイド部２５１Ｄを有している。上面部２５１Ａは蓋部材３０の下面に図示しないボルトによって固定されている。第１側面部２５１Ｂは、上面部２５１Ａが蓋部材３０の下面に固定された状態で、蓋部材３０の左右端部に近い上面部２５１Ａの端部から垂下して形成されている。第１側面部２５１Ｂは、上面部２５１Ａが蓋部材３０の下面に固定された状態で、蓋部材３０の左右端部に近い側面の中央にねじ部材５５の頭部が嵌り込む凹部２５２が形成されている。第１側面部２５１Ｂは凹部２５２の中央にねじ部材５５の軸部５５Ｂを挿通する挿通孔２５２Ａが貫設されている。第２側面部２５１Ｃは、第１側面部２５１Ｂから内側に離れた位置に上面部２５１Ａから垂下して形成されている。第２側面部２５１Ｃはねじ部材５５が挿通する挿通孔２５１Ｅが貫設されている。また、第２側面部２５１Ｃは内側にナットＮが取り付けられている。ナットＮのねじ孔と第２側面部２５１Ｃの挿通孔２５１Ｅとは同軸である。一対のガイド部２５１Ｄは前後方向に離れて平行な状態で上面部２５１Ａから垂下している。一対のガイド部２５１Ｄは連結部２５３の上端部を間に挟み込みんでいる。
【００４９】
連結部２５３は、連結部本体２５３Ａ、及び係止部２５３Ｂを有している。連結部本体２５３Ａは上方にねじ部材５５が挿通する挿通孔２５４が貫設されている。係止部２５３Ｂは、連結部材２５０が蓋部材３０の下面に固定されている状態で、連結部本体２５３Ａの下部から垂直下方に延びた垂下片部２５６と、垂下片部２５６の下端から外方向に向けて水平方向に延びた鉤部２５８とを有している。鉤部２５８の下部はラウンド形状のリブ２５８Ａが形成されている。
【００５０】
スプリング２５７は、固定部２５１の第２側面部２５１Ｃと連結部本体２５３Ａとの間に介在し、内側にねじ部材５５の軸部５５Ｂが挿入されている。ねじ部材５５は、第１側面部２５１Ｂの凹部２５２から第１側面部２５１Ｂの挿通孔２５２Ａ、連結部本体２５３Ａの挿通孔２５４、スプリング２５７、及び第２側面部２５１Ｃの挿通孔２４１Ｅを挿通して、第２側面部２５１Ｃの内側に取り付けられたナットＮにねじ込まれている。この連結部材２５０はスプリング２５７の弾性力が連結部２５３を外側に移動させる方向に働いている。
【００５１】
このような構成を有する小便器２０１において、蓋部材３０を便器本体１０に取り付ける場合、蓋部材３０を便器本体１０の凹部１９に嵌め込むように下降させる。すると、連結部材２５０の連結部２５３の係止部２５３Ｂに設けられた鉤部２５８の下部のラウンド形状のリブ２５８Ａが便器本体１０の開口部１９Ｂの内側（器本体の左右壁部１１の内側）に当接し、スプリング２５７の弾性力に抗して連結部２５３が内側に移動する。そして、蓋部材３０を開口部１９Ｂが閉鎖した閉鎖状態に取り付ける。これによって、図７（Ａ）に示すように、各連結部材２５０の連結部２５３の係止部２５３Ｂに設けられた鉤部２５８が便器本体１０の左右壁部１１の内面に設けられた各孔部１２に係止可能な状態になる。このように、この小便器２０１は、スプリング２５７の弾性変形によって、連結部２５３が往復移動する。そして、蓋部材３０を開口部１９Ｂが閉鎖した閉鎖状態に取り付けると、鉤部２５８が孔部１２に係止可能な状態になるため、蓋部材３０を便器本体１０の所定の位置に配置するだけで、鉤部２５８と孔部１２とが係止可能な状態になる。
【００５２】
このようにして、蓋部材３０が便器本体１０に取り付けられた小便器２０１は、便器本体１０と蓋部材３０とによって、蓋部材３０に設けられた各連結部材２５０の全体が隠蔽されて露出しない。このため、この小便器２０１は蓋部材３０を便器本体１０に取り付ける連結部材２５０を外側から視認することができない。このように、この小便器２０１は、連結部材２５０が露出しないため、見栄えが良い。また、この小便器２０１は、連結部材２５０が露出しないため、第三者によって、連結部２５３の係止部２５３Ｂに設けられた鉤部２５８が被連結部である各孔部１２との係止可能な状態を解除され難く、蓋部材３０が取り外され難い。
【００５３】
したがって、実施例３の小便器２０１も、見栄えが良く、第三者が蓋部材３０を取り外すことを困難にすることができる。
【００５４】
また、この小便器２０１において、蓋部材３０を便器本体１０から取り外す場合、図７（Ｂ）に示すように、一方の連結部材２５０のスプリング２５７の弾性力に抗して連結部２５３が蓋部材３０に対して内側に移動するように、蓋部材３０を左右一方向に移動させる。これによって、蓋部材３０が左右の一方向に移動し、この連結部材２５０とは反対側に固定された連結部材２５０の鉤部２５８が孔部１２に係止した状態を解除することができる。これによって、蓋部材３０を上方に移動させることができ、蓋部材３０を便器本体１０から取り外すことができる。
【００５５】
本発明は上記記述及び図面によって説明した実施例１〜３に限定されるものではなく、例えば次のような実施例も本発明の技術的範囲に含まれる。
（１）実施例１〜３では、蓋部材に連結部材を設けたが、便器本体（衛生設備機器本体）に連結部材を設けてもよい。この場合、蓋部材に被連結部である孔部を設ける。
（２）実施例１〜３では、蓋部材に固定した連結部材の係止部に鉤部を設け、鉤部に係止する孔部を便器本体に設けることによって、鉤部と孔部を係止するように蓋部材を便器本体に取り付けたが、連結部材が便器本体の左右壁部の内面に当接して突っ張らせることによって、蓋部材が取り外されないように便器本体に取り付けるようにしてもよい。
（３）実施例１〜３では、便器本体の上下方向に開口する開口部を閉鎖する蓋部材であったが、左右方向に開口する開口部を閉鎖する蓋部材に適用してもよい。
（４）実施例１〜３では、蓋部材に設けられた一対の連結部材が同じ形態であったが、一方の連結部材において連結部が固定式のものであってもよい。
（５）実施例１〜３では、係止状態において、蓋部材の前面に一部が凹部の立ち上がり面に重なったが、重ならなくてもよい。
（６）実施例１〜３では、鉤部が係止する孔部を略四角形状にしたが、円形状であってもよい。
（７）実施例２では、磁石と鉄板を利用して蓋部材を便器本体に仮固定する固定部材を構成したが、固定部材を面ファスナーや、粘着剤を利用して構成してもよい。
（８）実施例３では、スプリングの弾性力を利用して連結部を往復移動するようにしたが、連結部を弾性体によって作成し、連結部の弾性変形によって鉤部を孔部に係止するように移動可能にしてもよい。
（９）実施例３では、ねじ部材を利用したが、ねじ部材でなくても、第１側面部と第２側面部との間に配置され、スプリングの内側に挿入されるものであればよい。
【産業上の利用可能性】
【００５６】
本発明は、大便器、小便器、洗浄水を貯留するタンク等の衛生設備機器に利用可能である。
【符号の説明】
【００５７】
１、１０１、２０１…小便器（衛生設備機器）
１０…便器本体（機器本体）
１２…孔部（被連結部）
１９…凹部
１９Ｂ…開口部
１９Ｃ…立ち上がり面
３０…蓋部材
３１Ａ、３１Ｂ…弾性体
５０、２５０…連結部材
５３、２５３…連結部
５５…ねじ部材
５５Ａ…（ねじ部材の）頭部
Ｚ…隙間
１１０…固定部材
【図１】
2015038283.tif 000003
【図２】
2015038283.tif 000004
【図３】
2015038283.tif 000005
【図４】
2015038283.tif 000006
【図５】
2015038283.tif 000007
【図６】
2015038283.tif 000008
【図７】
2015038283.tif 000009